(57)【要約】  【課題】  必須の項目に対しては、漏れなく効率的に情報の入力を行えるようにして、入力、登録のしやすさを高め、情報の記憶、登録作業に要する時間を減らす。  【解決手段】表示入力装置は、情報を記憶する記憶部と、情報を記憶部に記憶させ、登録するための入力画面を表示する表示部と、入力画面に表示された入力項目に対する入力を受け付ける入力部と、を備え、表示部は、情報を登録するうえで、予め定められた必須の入力項目である必須入力項目の入力画面を、対話型で順次表示するウィザード表示形式で表示する。【選択図】図８
2011197924.tif 000002
【特許請求の範囲】
【請求項１】
情報を記憶する記憶部と、
情報を前記記憶部に記憶させ、登録するための入力画面を表示する表示部と、
前記入力画面に表示された入力項目に対する入力を受け付ける入力部と、を備え、
前記表示部は、情報を登録するうえで、予め定められた必須の前記入力項目である必須入力項目の前記入力画面を、対話型で順次表示するウィザード表示形式で表示することを特徴とする表示入力装置。
【請求項２】
前記表示部は、全ての前記必須入力項目の入力が完了した場合、前記必須入力項目についてなされた入力内容を表示する確認画面を表示するとともに、前記確認画面に任意の前記入力項目である任意入力項目もあわせて表示し、
前記入力部は、前記任意入力項目を選択する入力を受け付け、前記任意入力項目が選択されると、選択された前記任意入力項目を設定する入力を受け付けることを特徴とする請求項１記載の表示入力装置。
【請求項３】
前記表示部は、全ての前記必須入力項目の入力が完了した場合、各前記必須入力項目についてなされた入力内容を表示する確認画面を表示し、
前記入力部は、前記必須入力項目を選択する入力を受け付け、前記必須入力項目が選択されると、選択された前記必須入力項目を修正する入力を受け付けることを特徴とする請求項１又は２に記載の表示入力装置。
【請求項４】
前記記憶部は、予め複数の機能の設定項目の中から選択され、登録された前記設定項目の組み合わせであり、呼び出すことにより予め選択、登録された前記設定項目を設定するための画面を前記表示部に表示させるプログラムを記憶し、
前記表示部は、前記プログラムに関し、少なくとも、前記プログラムの名称と表示形式を前記必須入力項目として、プログラムの名称と表示形式の前記入力画面を前記ウィザード表示形式で表示することを特徴とする請求項１乃至３のいずれか１項に記載の表示入力装置。
【請求項５】
前記記憶部は、画像データの送信先の送信先情報を記憶し、
前記表示部は、前記送信先情報のうち、少なくとも、前記送信先情報における宛先名とアドレス情報を前記必須入力項目として、宛先名とアドレス情報の前記入力画面を前記ウィザード表示形式で表示することを特徴とする請求項１乃至４のいずれか１項に記載の表示入力装置。
【請求項６】
前記記憶部は、使用者に関する使用者情報を記憶し、
前記表示部は、前記使用者情報のうち、少なくとも、使用者の名前と、使用者の名前のフリガナを前記必須入力項目として、使用者の名前と、使用者の名前のフリガナの前記入力画面を前記ウィザード表示形式で表示することを特徴とする請求項１乃至５のいずれか１項に記載の表示入力装置。
【請求項７】
前記記憶部は、部門情報を記憶し、
前記表示部は、部門情報のうち、少なくとも、部門名と部門コードを前記必須入力項目として、部門名と部門コードの前記入力画面を前記ウィザード表示形式で表示することを特徴とする請求項１乃至６のいずれか１項に記載の表示入力装置。
【請求項８】
前記請求項１乃至７のいずれか１項に記載の表示入力装置を備えることを特徴とする画像形成装置。
【発明の詳細な説明】
【技術分野】
【０００１】
本発明は、表示部と、タッチパネル等の入力部を有する表示入力装置、及び、これを備えた複写機、複合機、プリンタ、ＦＡＸ装置等の画像形成装置に関する。
【背景技術】
【０００２】
例えば、複写機、複合機等の画像形成装置には、多数の機能が搭載される（例えば、拡大縮小、集約印刷、両面印刷、送信先情報入力等）。多数の機能のうち、設定したい機能を簡易に選び、設定を行えるように、例えば、表示部やタッチパネルを備えた画面付きの表示入力装置が設けられることもある。又、簡易に設定できるように、表示部にウィザード形式表示（ユーザ対話形式）で機能設定画面を表示させるものがある。
【０００３】
このような表示を行う画像形成装置の一例が特許文献１に記載されている。具体的に、特許文献１には、画像形成装置の動作条件を設定するための動作設定情報を記憶する記憶手段と、動作設定情報を表示する表示手段と、表示された動作設定情報の中から任意の設定項目を選択させるために操作される操作手段と、予め設定された優先度の高い順から低い順へ動作設定情報を表示するように表示手段を制御する制御手段とを備えた画像形成装置が記載されている。この構成により、誘導案内機能付きの対話型の画像形成装置を構成し、動作機能が増えた場合でも、設定ミスを防ぎ、オペレータの目的とした機能の動作条件を早期、確実に設定できるようにしようとする（特許文献１：請求項１、段落［００１５］、図９等参照）。
【先行技術文献】
【特許文献】
【０００４】
【特許文献１】特開２００１−０４７７０８号公報
【発明の概要】
【発明が解決しようとする課題】
【０００５】
例えば、画像形成装置では、画像データの送信先登録や、画像形成装置の使用者登録など、表示入力装置への入力を経て、情報が記憶、登録される場合がある。一般に、送信先や使用者情報の入力画面には、複数の項目が表示され（例えば、名前、名称、フリガナ等）、使用者は、１つ１つの項目を選択し、入力を行っていた。
【０００６】
ここで、情報を利用したジョブの実行や管理等の観点からみて、情報を記憶、登録する上で、必須の項目と、必須でない任意の項目がある。例えば、任意の項目は、利便性の向上等の目的で設けられる。従来、情報を記憶、登録する旨の入力が使用者によりなされた
後、必須の項目が入力済みか否かを表示入力装置や画像形成装置が判断する。そして、必須の項目が未入力であれば、再度、使用者は、必須の項目の入力が求められ、やり直しとなる。必須入力項目であるか否かが示されないので必須入力項目の入力漏れのミスが発生しやすく、また、必須の項目に入力漏れがあれば、やり直しとなるので、使用者の入力、登録のしやすさ（の配慮）の点で問題がある。
【０００７】
又、従来、送信先情報や使用者情報を入力し、登録するための画面に、必須項目にあわせ、任意の項目も表示される。一方で、使用者は、どの項目が必須でどの項目が任意か判断できず、又、示されない。そのため、使用者は、表示される項目の全て、若しくは、ほとんどを入力しなくてはならないと考えてしまい、情報の登録作業に時間を要する場合があるという問題がある。
【０００８】
ここで、特許文献１をみると、特許文献１記載の発明は、設定項目の案内表示に関するものであり、情報の登録に関するものではない。又、特許文献１記載の発明を情報の登録に適用しても、優先度により表示順は決められるが、必須の項目だけではなく、任意の項目まで全ての項目の入力を案内表示するものとなる。そのため、使用者の入力、登録への配慮における問題や、情報の記憶、登録作業に時間を要する問題を解決できない。
【０００９】
本発明は、情報の記憶、登録における必須の項目をウィザード形式で表示して、必須の項目に対しては、漏れなく効率的に情報の入力を行えるようにして、入力、登録のしやすさを高め、情報の記憶、登録作業に要する時間を減らすことを課題とする。
【課題を解決するための手段】
【００１０】
上記課題解決のため請求項１に係る表示入力装置は、情報を記憶する記憶部と、情報を前記記憶部に記憶させ、登録するための入力画面を表示する表示部と、前記入力画面に表示された入力項目に対する入力を受け付ける入力部と、を備え、前記表示部は、情報を登録するうえで、予め定められた必須の前記入力項目である必須入力項目の前記入力画面を、対話型で順次表示するウィザード表示形式で表示することとした。
【００１１】
この構成によれば、情報を登録するうえで、予め定められた必須の入力項目である必須入力項目の入力画面が、対話型で順次表示するウィザード表示形式で表示される。これにより、ウィザード形式に従って、入力を行えば、使用者は、必須入力項目について漏れなく入力を行える。従って、必須入力項目への入力漏れのミスなく効率的に情報の入力を行うことができ、表示入力装置での入力、登録のしやすさを高めることができる。又、全ての入力項目への使用者の入力を強いず、情報の記憶、登録作業に要する時間を減らすことができる。
【００１２】
又、請求項２に係る発明は、請求項１の発明において、前記表示部は、全ての前記必須入力項目の入力が完了した場合、前記必須入力項目についてなされた入力内容を表示する確認画面を表示するとともに、前記確認画面に任意の前記入力項目である任意入力項目もあわせて表示し、前記入力部は、前記任意入力項目を選択する入力を受け付け、前記任意入力項目が選択されると、選択された前記任意入力項目を設定する入力を受け付けることとした。
【００１３】
この構成によれば、確認画面に表示される任意入力項目を選択する入力が、受け付けられ、任意入力項目の選択で任意入力項目の入力画面が表示され、選択された任意入力項目を設定する入力が、受け付けられる。これにより、使用者は、任意入力項目の入力も自由、容易に行うことができる。従って、任意入力項目の入力が強制されず、設定したい場合だけ設定すればよい。
【００１４】
又、請求項３に係る発明は、請求項１又は２の発明において、前記表示部は、全ての前記必須入力項目の入力が完了した場合、各前記必須入力項目についてなされた入力内容を表示する確認画面を表示し、前記入力部は、前記必須入力項目を選択する入力を受け付け、前記必須入力項目が選択されると、選択された前記必須入力項目を修正する入力を受け付けることとした。
【００１５】
この構成によれば、必須入力項目を選択する入力が受け付けられ、必須入力項目の選択で必須入力項目の入力画面が表示され、必須入力項目を修正する入力が受け付けられる。これにより、確認画面から簡易に必須入力項目の入力のやり直しをすることができる。従って、表示入力装置での入力、登録を効率的に行うことができる。
【００１６】
又、請求項４に係る発明は、請求項１乃至３の発明において、前記記憶部は、予め複数の機能の設定項目の中から選択され、登録された前記設定項目の組み合わせであり、呼び出すことにより予め選択、登録された前記設定項目を設定するための画面を前記表示部に表示させるプログラムを記憶し、前記表示部は、前記プログラムに関し、少なくとも、前記プログラムの名称と表示形式を前記必須入力項目として、プログラムの名称と表示形式の前記入力画面を前記ウィザード表示形式で表示することとした。
【００１７】
この構成によれば、少なくとも、プログラムの名称と表示形式を必須入力項目として、プログラムの名称と表示形式の入力画面がウィザード表示形式で表示される。これにより、プログラムの記憶、登録において、重要な情報が確実に入力される。尚、好適例の一つである。
【００１８】
又、請求項５に係る発明は、請求項１乃至４の発明において、前記記憶部は、画像データの送信先の送信先情報を記憶し、前記表示部は、前記送信先情報のうち、少なくとも、前記送信先情報における宛先名とアドレス情報を前記必須入力項目として、宛先名とアドレス情報の前記入力画面を前記ウィザード表示形式で表示することとした。
【００１９】
この構成によれば、少なくとも、送信先情報における宛先名とアドレス情報の宛先名とアドレス情報の入力画面が、必須入力項目としてウィザード表示形式で表示される。これにより、送信先情報の記憶、登録において、重要な情報が確実に入力される。尚、好適例の一つである。
【００２０】
又、請求項６に係る発明は、請求項１乃至５の発明において、前記記憶部は、使用者に関する使用者情報を記憶し、前記表示部は、前記使用者情報のうち、少なくとも、使用者の名前と、使用者の名前のフリガナを前記必須入力項目として、使用者の名前と、使用者の名前のフリガナの前記入力画面を前記ウィザード表示形式で表示することとした。
【００２１】
この構成によれば、使用者情報のうち、少なくとも、使用者の名前と、使用者の名前のフリガナの入力画面が、必須入力項目としてウィザード表示形式で表示される。これにより、使用者情報の記憶、登録において、重要な情報が確実に入力される。尚、好適例の一つである。
【００２２】
又、請求項７に係る発明は、請求項１乃至６の発明において、前記記憶部は、部門情報を記憶し、前記表示部は、部門情報のうち、少なくとも、部門名と部門コードを前記必須入力項目として、部門名と部門コードの前記入力画面を前記ウィザード表示形式で表示することとした。
【００２３】
この構成によれば、部門情報のうち、少なくとも、部門名と部門に属する使用者の入力画面が、必須入力項目として、ウィザード表示形式で表示される。これにより、部門情報の記憶、登録において、重要な情報が確実に入力される。尚、好適例の一つである。
【００２４】
又、請求項８に係る画像形成装置は、請求項１乃至７の何れか１項に記載の表示入力装置を備えることとした。
【００２５】
この構成によれば、全ての入力項目への使用者の入力を強いず、必須入力項目への入力漏れのミスがなく、効率的に情報の入力を行うことができる画像形成装置を提供することができる。又、情報の記憶、登録作業に要する時間が少なく、表示入力装置での入力、登録のしやすさが高い画像形成装置を提供することができる。
【発明の効果】
【００２６】
上述したように、本発明の表示入力装置、画像形成装置は、情報の記憶、登録における必須の項目をウィザード形式で表示する。これにより、ウィザード形式で表示された入力画面への入力を行えば、確実に、必須項目の入力を行うことができる。従って、使用者はミスなく効率的に情報の入力を行える。又、情報の記憶、登録作業に要する時間を要さずに、ユーザフレンドリーな表示入力装置、画像形成装置を提供することができる。
【図面の簡単な説明】
【００２７】
【図１】実施形態に係る複合機の一例を示す正面模型的断面図である。
【図２】実施形態に係る操作パネルの一例を示す平面図である。
【図３】実施形態に係る複合機のハードウェア構成の一例を示すブロック図である。
【図４】実施形態に係るワークフローを選ぶ際の呼出画面の一例を示す説明図である。
【図５】ワークフローをウィザード形式で表示した際の流れの一例を示す説明図である。
【図６】ワークフローをメニュー形式で表示した際のメニュー画面の一例を示す説明図である。
【図７】ワークフロー作成における設定項目の選択画面の一例を示す説明図である。
【図８】実施形態に係るワークフローの登録での必須入力項目のウィザード形式よる表示の一例を示す説明図であり、（ａ）は、名称の入力画面の一例を示し、（ｂ）は表示形式入力画面の一例を示す。
【図９】実施形態に係るワークフローの登録での確認画面の一例を示す説明図である。
【図１０】実施形態に係る送信での設定画面の一例を示す説明図であり、（ａ）は、送信基本画面の一例を示し、（ｂ）はアドレス帳画面の一例を示す。
【図１１】実施形態に係る送信先情報の登録での必須入力項目のウィザード形式よる表示の一例を示す説明図であり、（ａ）は、宛先名の入力画面の一例を示し、（ｂ）はフリガナの入力画面の一例を示す。
【図１２】実施形態に係る送信先情報の登録での確認画面の一例を示す説明図である。
【図１３】実施形態に係るログイン画面の一例を示す説明図である。
【図１４】実施形態に係る使用者情報の登録での必須入力項目のウィザード形式よる表示の一例を示す説明図であり、（ａ）は、名前の入力画面の一例を示し、（ｂ）はフリガナの入力画面の一例を示す。
【図１５】実施形態に係る使用者情報の登録での確認画面の一例を示す説明図である。
【図１６】実施形態に係る部門リスト画面の一例を示す説明図である。
【図１７】実施形態に係る部門情報の登録での必須入力項目のウィザード形式よる表示の一例を示す説明図であり、（ａ）は、部門名の入力画面の一例を示し、（ｂ）はフリガナの入力画面の一例を示す。
【図１８】実施形態に係る部門情報の登録での確認画面の一例を示す説明図である。
【図１９】実施形態に係る操作パネルでの各種情報の登録時の流れの一例を示すフローチャートである。
【発明を実施するための形態】
【００２８】
以下、本発明の実施形態を図１〜図１９を用いて説明する。ここで、本発明は、各種表示入力装置に適用可能であるが、複合機１００（画像形成装置に相当）の操作パネル１（表示入力装置に相当）を例に挙げて説明する。但し、本実施の形態に記載されている構成、配置等の各要素は、発明の範囲を限定するものではなく説明例にすぎない。
【００２９】
（画像形成装置の概略）
まず、図１を用いて、本発明の実施形態に係る複合機１００の概略を説明する。図１は本発明の実施形態に係る複合機１００の一例を示す正面模型的断面図である。
【００３０】
図１に示すように、複合機１００の正面前方には、複合機１００に関して各種設定を行うための操作パネル１が設けられる（詳細は後述）。そして、本実施形態の複合機１００は、上部に、画像読取部２と原稿搬送装置３が設けられる。複合機１００は、本体内部に、給紙部４ａ、搬送路４ｂ、画像形成部５、中間転写部６ａ、定着部６ｂ、排出搬送部７ａ、両面搬送路７ｂ等を備える。
【００３１】
原稿搬送装置３は、読み取る原稿を載置する原稿トレイ３１を有する。そして、原稿搬送装置３は、原稿トレイ３１から原稿を１枚ずつ、自動的に連続して読取位置（送り読取用コンタクトガラス２１）に搬送する。又、原稿搬送装置３は、図１の紙面奥側を支点として画像読取部２に上下方向に開閉自在に取り付けられ、画像読取部２のコンタクトガラス（送り読取用コンタクトガラス２１及び載置読取用コンタクトガラス２２）を上方から押さえるカバーとして機能する。
【００３２】
次に、画像読取部２は、図１に示すように、上面に送り読取用コンタクトガラス２１と、書籍等の原稿を１枚ずつ読み取る際に原稿を載置する載置読取用コンタクトガラス２２が配される。画像読取部２内には、ランプ、ミラー、レンズ、イメージセンサ等（不図示）が配される。イメージセンサは、送り読取用コンタクトガラス２１を通過する原稿、あるいは、載置読取用コンタクトガラス２２に載置された原稿の反射光を元に、原稿を読み取る。そして、イメージセンサは、反射光を画像濃度に応じたアナログの電気信号に変換し、その後、量子化を行い、原稿の画像データが得られる。尚、本実施形態の画像読取部２は、カラーでも読み取り可能であり、白黒でも読み取り可能である。
【００３３】
複合機１００本体内の複数の給紙部４ａは、それぞれ、各サイズ（例えば、Ａ４、Ｂ４等のＡ型、Ｂ型用紙等）、各種用紙（例えば、コピー用紙、再生紙、厚紙、ＯＨＰシート等）を複数枚収容する。各給紙部４ａは、それぞれ回転駆動する給紙ローラ４１を備え、印刷時、１枚ずつ搬送路４ｂに用紙を送り込む。
【００３４】
搬送路４ｂは、給紙部４ａから画像形成部５まで装置内で用紙を搬送する通路である。そして、搬送路４ｂには、用紙の案内のためのガイド板や、用紙搬送時に回転駆動する搬送ローラ対４２、４３、４４や、搬送される用紙を画像形成部５の手前で待機させ、形成されたトナー像の転写タイミングに合わせ用紙を送り出すレジストローラ対４５等が設けられる。
【００３５】
画像形成部５は、複数の画像形成ユニット５０（ブラック用の５０Ｂｋ、イエロー用の５０Ｙ、シアン用の５０Ｃ、マゼンタ用の５０Ｍ）と露光装置５１を含む。露光装置５１は、画像読取部２で読み取られた画像データや後述の記憶装置９２に記憶される画像データ等に基づき、レーザ光を点消灯しつつ出力し、各感光体ドラムを走査露光する。画像形成ユニット５０は、回転駆動可能に支持された感光体ドラムや、感光体ドラムの周囲に配設された帯電装置、現像装置、清掃装置等を備える。そして、各画像形成ユニット５０と露光装置５１によって、感光体ドラムの周面上にトナー像が形成される。
【００３６】
中間転写部６ａは、各画像形成ユニット５０からトナー像の１次転写を受け、シートに２次転写を行う。中間転写部６ａは、各１次転写ローラ６１Ｂｋ〜６１Ｍ、中間転写ベルト６２、駆動ローラ６３、複数の従動ローラ６４、２次転写ローラ６５、ベルト清掃装置６６等で構成される。各１次転写ローラ６１Ｂｋ〜６１Ｍは、対応する感光体ドラムと無端状の中間転写ベルト６２を挟み込む。各１次転写ローラ６１Ｂｋ〜６１Ｍには、転写用電圧が印加され、トナー像は中間転写ベルト６２に転写される。
【００３７】
中間転写ベルト６２は、駆動ローラ６３等に張架され、モータ等の駆動機構（不図示）に接続される駆動ローラ６３の回転駆動により周回する。中間転写ベルト６２は、又、駆動ローラ６３は、２次転写ローラ６５とで中間転写ベルト６２を挟み込む。各画像形成ユニット５０で形成されたトナー像（ブラック、イエロー、シアン、マゼンタの各色）は、順次、ずれなく重畳して中間転写ベルト６２に１次転写された後、所定の電圧を印加された２次転写ローラ６５により、シートに転写される。
【００３８】
定着部６ｂは、用紙に転写されたトナー像を定着させる。定着部６ｂは、主として、発熱体を内蔵する加熱ローラ６７とこれに圧接する加圧ローラ６８で構成される。そして、用紙が、加熱ローラ６７と加圧ローラ６８のニップを通過すると、トナーが溶融・加熱され、トナー像が用紙に定着する。定着部６ｂから排出された用紙は、排出トレイ７２方向に送られる。
【００３９】
排出搬送部７ａは、回転駆動し、用紙を排出トレイ７２方向に送り出す、或いは、両面印刷のため逆回転しスイッチバックを行う排出ローラ対７１を有する。両面搬送路７ｂは定着部６ｂの下流側と、レジストローラ対４５の上流側とを結ぶ。両面搬送路７ｂには、両面印刷のため、回転駆動する複数の両面搬送ローラ対７３、７４、７５が設けられ、片面印刷済の用紙が搬送される。
【００４０】
（操作パネル１）
次に、図２を用いて、本発明の実施形態に係る操作パネル１の一例を説明する。図２は本発明の実施形態に係る操作パネル１の一例を示す平面図である。
【００４１】
操作パネル１は、図１及び図２に示すように、複合機１００の正面上方に設けられ、複合機１００や後処理装置２の設定や動作指示を与えるためのメニューやキー（図５等参照）や複合機１００等の状態メッセージ等の各種画像、画面を表示する液晶表示部８（表示部に相当）を有する。使用者は、液晶表示部８に表示されたキーを押下して、複合機１００のコピーにおける各種設定や動作指示を行える。
【００４２】
又、液晶表示部８の上面にタッチパネル部１１（入力部に相当）が設けられる。タッチパネル部１１は、使用者が液晶表示部８に押下した部分の位置、座標を検出するためのものである。このタッチパネル部１１を用いた検出座標と、液晶表示部８に示される各種キーの位置、座標を比較し、使用者が押下して選択したキーが特定される。尚、タッチパネル部１１としては、抵抗膜方式、表面弾性波方式、赤外線方式、静電容量方式等、各方式のものを採用でき特に制限はない。
【００４３】
又、操作パネル１には、以下のようなハードとしてのキー（ボタン）が設けられる。例えば、数字入力用のテンキー部１２（入力部に相当）や、各種設定後、コピー等の処理開始指示用のスタートキー１３（入力部に相当）等が設けられる。又、コピー機能を利用する際に押下されるコピーキー１４（入力部に相当）、スキャナ機能、ＦＡＸ機能を利用する際に押下される送信キー１５（入力部に相当）等が設けられる。又、ワークフローの作成、登録やワークフローの呼び出しの際に押下されるワークフローキー１６（入力部に相当）も設けられる。又、操作パネル１の左上方には、使用者や部門の登録や管理を行う際に押下されるシステムキー１７（入力部に相当）も設けられる。このように、操作パネル１に備えられるタッチパネル部１１や各種ハードキーが、複合機１００の各機能について、各種設定、モード選択等を行うための入力部として機能する。
【００４４】
（複合機１００のハードウェア構成）
次に、図３を用いて、本発明の実施形態に係る複合機１００のハードウェア構成の一例を説明する。図３は、本発明の実施形態に係る複合機１００のハードウェア構成の一例を示すブロック図である。
【００４５】
まず、複合機１００本体内には、制御部９が設けられる。制御部９は、例えば、操作パネル１、原稿搬送装置３、画像読取部２、給紙部４ａ、搬送路４ｂ、画像形成部５、定着部６ｂ、排出搬送部７ａ等と接続され、これらの制御を行う。
【００４６】
制御部９は、例えば、ＣＰＵ９１等の素子を含む。ＣＰＵ９１は記憶装置９２（記憶部に相当）に格納され、展開される制御プログラムに基づき演算等を行い、複合機１００の各部を制御する。尚、制御部９は、全体制御や画像処理を行うメイン制御部や、画像形成や各種回転体を回転させるモータ等のＯＮ／ＯＦＦ等を行い、印刷を制御するエンジン制御部等、機能ごとに分割して複数種設けられてもよい。本説明では、これらの制御部９をまとめた形態で示し、説明する。
【００４７】
記憶装置９２は、制御部９と接続される。記憶装置９２は、ＲＯＭ、ＲＡＭ、ＨＤＤ等の不揮発性と揮発性の記憶装置９２を組み合わせて構成される。記憶装置９２は、複合機１００の制御用プログラム、制御用データ、設定データ、画像データ等の各種データを記憶できる。又、例えば、記憶装置９２は、作成したワークフロー（プログラムに相当）を記憶できる。尚、ワークフローとは、予め複数の設定項目の中から選択され、登録された設定項目の組み合わせであり、呼び出すことにより予め選択、登録された設定項目を設定するための画面を表示部に表示させるプログラムである。
【００４８】
そして、制御部９は、各種コネクタ、ソケットやＦＡＸモデム等を備えたインターフェイス部（以下、Ｉ／Ｆ部９３）と接続される。Ｉ／Ｆ部９３はネットワークや公衆回線等により複数の外部のコンピュータ２００（例えば、パーソナルコンピュータ）や相手方ＦＡＸ装置３００（図６では、いずれも便宜上１つのみ図示）と接続される。例えば、画像読取部２で得られた画像データを画像データを記憶装置９２に記憶させることや、外部のコンピュータ２００や相手方ＦＡＸ装置３００に送信することができる（スキャナ機能、ＦＡＸ機能）。又、外部のコンピュータ２００や相手方ＦＡＸ装置３００から送信され、複合機１００に入力される画像データに基づき印刷、ＦＡＸ送信等を行うこともできる（プリンタ機能、ＦＡＸ機能）。
【００４９】
又、制御部９は、操作パネル１になされた入力を認識し、使用者の設定にあわせてコピー等が行われるように複合機１００を制御する。例えば、操作パネル１で、画像データの送信を行う設定がなされると、制御部９は、Ｉ／Ｆ部９３を制御し、設定された宛先に画像データを送信する。
【００５０】
又、例えば、制御部９には、画像読取部２で原稿を読み取って得られた画像データやＩ／Ｆ部９３を介して複合機１００に入力された画像データに対し、画像処理を施す画像処理部９４が設けられる。画像処理部９４が処理した画像データは、例えば、露光装置５１に送信され、感光体ドラムの走査・露光に用いられる。
【００５１】
本実施形態の操作パネル１は、表示制御部１０、メモリ１８（記憶部に相当）、ドライバ回路１９、液晶表示部８、タッチパネル部１１を有する。表示制御部１０は、ＣＰＵやＩＣ等で構成され、液晶表示部８の表示を制御し、タッチパネル部１１の出力を受け、液晶表示部８で押下された座標を特定する。タッチパネル部１１の出力と座標の対応を示すテーブル等のデータは、メモリ１８に記憶される。表示制御部１０は、押下位置の座標と、各設定画面の画像データを比較する等により、設定画面上で選択された（押下された）キーを特定、認識する。
【００５２】
具体的に、複合機１００の各機能の設定項目を選択し、設定値を設定するには、液晶表示部８における最上層の表示から、液晶表示部８に表示されるキーの選択を繰り返す。そして、キー選択ごとに、表示制御部１０は、液晶表示部８の表示を切り換えさせ、最終的に、選択、設定しようとする機能の設定値が設定される。この機能の選択、設定が行われたことを表示制御部１０は認識し、その内容を本体の制御部９に送信する。これにより、操作パネル１で選択、設定された機能を反映した動作を制御部９が、画像形成部５等の各部に行わせ、使用者の意思が、印刷等において反映される（例えば、濃度設定や拡大縮小など）。
【００５３】
そして、液晶表示部８が表示する画面、画像の画像データは、例えば、操作パネル１内のメモリ１８に記憶される。従って、表示制御部１０は、設定項目の選択画面や各設定画面中のキーが押下されるごとに、表示制御部１０は、次に表示すべき画面の画像データをメモリ１８から読み出す。
【００５４】
又、液晶表示部８が表示する画面、画像の画像データは、例えば、本体側の記憶装置９２に記憶させてもよい。この場合、操作パネル１は、液晶表示部８で表示を行うための画像データを、制御部９を介し、記憶装置９２から受信する。この画像データを受けて、表示制御部１０は、液晶画面の表示を実際に制御するドライバ回路１９に指示を与える。尚、操作パネル１には、表示制御部１０とメモリ１８を設けず、表示制御部１０メモリ１８の機能を制御部９の構成（ＣＰＵ９１や記憶装置９２）に行わせても良い。
【００５５】
（ワークフローの呼出、利用）
次に、図４〜図６を用いて、本発明の実施形態に係るワークフローの概要とワークフローの呼出、利用の一例を説明する。図４は、本発明の実施形態に係るワークフローを選ぶ際の呼出画面Ｄ１の一例を示す説明図である。図５は、ワークフローをウィザード形式で表示した際の流れの一例を示す説明図である。図６は、ワークフローをメニュー形式で表示した際のメニュー画面Ｄ２の一例を示す説明図である。
【００５６】
本実施形態の複合機１００では、多数にわたる設定可能な機能を有し、多様な設定項目がある。そして、液晶表示部８は、複数の設定項目のうちから設定を行う設定項目を選び出すための選択画面を表示し、使用者は、印刷や送信で用いる設定項目（機能）を選ぶ（押下する）。例えば、液晶表示部８は、各設定項目をキーとして表示する。又、液晶表示部８は、選択された設定項目用の各設定画面を表示する。使用者は各設定画面に表示されるキーや、液晶表示部８の周辺に配されたハードキー等を押下して、多種多様な機能選択、設定を行える。尚、設定項目及びその設定画面の種類はあまりに多数にわたるため、便宜上、例として後述する場合を除き図示を避け、設定できる機能（設定項目）を以下に列挙するに留める。
【００５７】
まず、コピーとして利用する場合（コピーキー１４の押下でコピーモードとなる）、複合機１００には、例えば、原稿の画質（文字、写真、文字＋写真等）、コピー濃度、用紙選択、倍率、エコプリント、とじしろ、センター移動、枠消し、両面／分割（片面→両面、両面→片面、見開き→両面等）、小冊子、表紙付け、原稿セット向き、原稿サイズ、ソート、仕分け、白黒反転、鏡像印刷、ページ付け、イメージ合成、集約（２ｉｎ１、４ｉｎ１等）、余白追加、連続読込一括印刷、試しコピー、再コピー、ステープル、パンチ等の設定項目が用意される。使用者は、液晶表示部８に表示される各設定項目の設定画面への入力により、設定項目内の設定値を設定する。
【００５８】
次に、複合機１００をスキャナとして利用する場合（送信キー１５の押下で複合機１００をスキャナとして利用できる）、例えば、複合機１００には、原稿サイズ、送信サイズ、解像度、原稿セット向き、保存ファイル形式、画質（濃度、カラーモード、圧縮率、写真や文字等の原稿の画質等）、分割、枠消し、ページ毎出力、連続読み込み、ファイル名入力、センター移動、送信先選択、送信先登録、パスワード、Ｅメール送信、相手方受信確認等の設定項目が用意される。使用者は、液晶表示部８に表示される各設定項目の設定画面への入力により、設定項目内の設定値を設定する。
【００５９】
次に、複合機１００をＦＡＸとして利用する場合（送信キー１５の押下で複合機１００をスキャナとして利用できる）、例えば、複合機１００には、自局情報登録（ＦＡＸ番号、ＩＤ等）、ダイレクト送信、メモリ送信、回転通信、一括送信、Ｆコード通信、用紙切れ時受信、短縮番号、原稿濃度、原稿サイズ、送信先選択、送信先登録、リダイヤル、両面送信、拡大・縮小送信、予約送信、割込送信、時刻指定通信、ポーリング通信、中継送信、受信画像データの転送、暗号通信、通信結果通知、用紙サイズ確認、集約（２ｉｎ１等）、両面受信等の設定項目が容易される。使用者は、液晶表示部８に表示される各設定項目の設定画面への入力により、設定項目内の設定値を設定する。
【００６０】
ここで、例えば、用紙の消費を抑えるため、集約と両面が組み合わせて設定される場合や、画像読取部２で読み取って得られた画像データの送信方法と送信先など、使用者が複合機１００を利用する上で、頻繁に組み合わせられる設定項目が存在する。ところが上記のように、複合機１００の有する設定項目（機能）は多岐にわたり、複合機１００を利用するたびに、同様の設定を行うことは煩わしく、利便性が悪い。
【００６１】
そこで、本実施形態の複合機１００では、予め頻繁に用いる設定項目の組み合わせを予め選択、作成し、設定項目の組み合わせをワークフローとして記憶させることができる。そして、使用者は、記憶装置９２やメモリ１８に記憶されたワークフロー（予め選択した設定項目や表示順や表示形式を示すデータを含むプログラム）を呼び出すと、予め選択した設定項目について設定するための画面が液晶表示部８に表示される。
【００６２】
例えば、使用者は、予め登録されたワークフローを呼び出す場合、ワークフローキー１６（図２参照）を押下する。そうすると、図４に示すように、予め登録されたワークフローのうち、用いる（呼び出す）ワークフローを選択するための呼出画面Ｄ１が液晶表示部８に表示される。例えば、図４では、「きれいにコピー」、「節約コピー」、「かんたんＦＡＸ」、「かんたんメール」、「かんたんフォルダ」、「自分のフォルダへ保存」と名付けられたワークフローを示す画像が表示される。そして、各ワークフローを示す画像を押下することで、押下されたワークフローが記憶装置９２やメモリ１８から呼び出され、液晶表示部８にワークフローによる設定のための画面が表示される。
【００６３】
又、呼出画面Ｄ１の下方には、新たにワークフローを作成する場合や既に登録されたワークフローの編集を行う際に押下される登録／編集キーＫ１が配される。又、ワークフローの呼び出しを止めるためのキャンセルキーＫ２も配される。又、図４で示すように、１画面中に表示できるワークフローには限りがある。そこで、次キーＫ３を押下すると、次ページの呼出画面Ｄ１に切り替わり、図４とは異なるワークフローを示す画像が表示される。又、前キーＫ４を押下すると、前ページの呼出画面Ｄ１に切り替えられる。
【００６４】
次に、ワークフローを呼び出した際の表示、設定を説明する。尚、ワークフローを呼び出した際、設定のための画面の表示形式としては、ウィザード表示形式、メニュー表示形式、一覧表示形式が用意される。いずれの表示形式で表示するかは、例えば、ワークフローの登録時等に設定することができる。そこで、表示形式ごとにワークフローの呼び出した際の概要を説明する。
【００６５】
［ウィザード表示形式］
まず、図５を用いて、ワークフローのウィザード表示形式を説明する。例えば、図５は、図４における「節約コピー」のワークフローを呼び出した際のウィザード形式でのワークフローの一例を示している。
【００６６】
図５に示すワークフローは、「部数」と「集約」と「両面／分割」の設定項目が含まれるように予め作成、登録されている（ワークフローの作成、登録についての詳細は後述）。又、ワークフローは、「部数」の設定画面Ｓ１→「集約」の設定画面Ｓ２→「両面／分割」の設定画面Ｓ３の順に、各設定項目の設定画面を表示するように作成、登録されている。尚、図５での黒線矢印は、表示順を示す。
【００６７】
ワークフローで呼び出された各設定画面では、前キーＫ５と次キーＫ６がそれぞれ配される。前キーＫ５が押下されると、液晶表示部８は、１つ前の設定項目の設定画面を表示する。又、次キーＫ６が押下されると、液晶表示部８は、１つ先の設定項目の設定画面を表示する。使用者は、各設定画面内に配された設定用のキーを押下することで、各設定項目での設定値を設定することができる。例えば、図５に示すように、押下された設定用のキーは白黒反転（黒背景に白文字）状態で表示される。
【００６８】
尚、ワークフローの作成、登録時には、各設定画面を表示する際に、選択、設定されている設定値のデフォルト値を定めておくことができる。このデフォルト値は、ワークフローの一部として記憶装置９２やメモリ１８に記憶される。例えば、集約では「４ｉｎ１」をデフォルト値とするように、ワークフローが作成された場合、初めて「部数」の設定画面Ｓ１→「集約」の設定画面Ｓ２に表示を切り替えた際、図５に示すように、４ｉｎ１キーＫ７は、既に選択されている状態として液晶表示部８に表示される。
【００６９】
そして、ワークフローに予め含められた３つの設定項目の設定が全て完了し、「両面／分割」の設定画面Ｓ３で次キーＫ６を押下すると、設定一覧Ｓ４が表示される。この設定一覧Ｓ４には、ワークフローに含まれる各設定項目と、各設定項目における設定値が表示される。又、設定一覧Ｓ４では、実行開始キーＫ８と設定変更キーＫ９が表示される。実行開始キーＫ８を押下すると、制御部９は、設定一覧Ｓ４に示される内容を把握し、把握した内容で複合機１００を制御し、コピーが行われる。設定変更キーＫ９が押下されると、例えば、再び、「用紙選択」の設定画面Ｓ１が表示され、使用者は、ワークフローに含まれる設定項目について再度、設定を行える。
【００７０】
［メニュー表示形式］
次に、図６を用いて、ワークフローでのメニュー表示形式を説明する。例えば、図６は図４における「節約コピー」のワークフローを呼び出した際のメニュー表示形式でのメニュー画面Ｄ２の一例を示している。
【００７１】
図６に示すように、メニュー表示形式では、例えば、「節約コピー」のワークフローを呼び出すと「部数」のメニュー画像Ｄ２１、「集約」のメニュー画像Ｄ２２、そして「両面／分割」のメニュー画像Ｄ２３が表示される。そして、選択されるワークフローによって、メニュー画面Ｄ２に表示されるメニュー画像が異なる。そして、それぞれのメニュー画像には、デフォルトの設定値も表示される。このように、メニュー表示形式では、ワークフローに含まれる設定項目がメニューとして表示される。
【００７２】
使用者は、設定値を変更したい設定項目のメニュー画像を押下する。これにより、液晶表示部８の表示は、例えば、図５に示したような、設定項目ごとの設定画面に切り替わる。そして、設定画面での設定が完了すると、液晶表示部８の表示は、図６に示すメニュー画面Ｄ２に再び切り替わる。
【００７３】
又、メニュー画面Ｄ２には、ＯＫキーＫ１０とキャンセルキーＫ１１が配される。ＯＫキーＫ１０が押下されると、図５に示した設定一覧Ｓ４が液晶表示部８に表示される。設定一覧Ｓ４の詳細は、図５を用いて説明した場合と同様でよく、説明を省略する。一方、キャンセルキーＫ１１が押下されると、ワークフローを用いた設定がキャンセルされる。
【００７４】
［一覧表示形式］
次に、図５を用いて、ワークフローでの一覧表示形式を説明する。この一覧表示形式では、図４の呼出画面Ｄ１で使用するワークフローを選択すると、いきなり、図５に示した設定一覧Ｓ４が液晶表示部８に表示される。設定一覧Ｓ４の詳細は、図５を用いてウィザード表示形式で説明した場合と同様でよいので、説明を省略する。
【００７５】
このように、表示入力装置（操作パネル１）の表示部（液晶表示部８）は、プログラムが呼び出された際、プログラムに含められた各設定項目を対話型で順次表示するウィザード表示形式、プログラムに含められた各設定項目を並列させて一覧表示する一覧表示形式、又は、プログラムに含められた各設定項目を示す画像を（一画面に）表示するメニュー形式表示の何れかの表示形式で表示する。
【００７６】
（新規ワークフローの作成）
次に、図７を用いて、本発明の実施形態に係る複合機１００でのワークフローの作成を説明する。図７は、ワークフロー作成における設定項目の選択画面Ｄ３の一例を示す説明図である。
【００７７】
ワークフローを作成する場合、使用者は、例えば、ワークフローキー１６を押下し、呼出画面Ｄ１で、登録／編集キーＫ１を押下する。これにより、ワークフローの新規登録が開始され、操作パネル１のモードが、コピー等の設定を行う通常の入力モードからワークフロー登録モードに移行する。次に、操作パネル１は、作成するワークフローに含める設定項目を選択する入力を受け付ける。そして、表示制御部１０や制御部９は、選択された設定項目を認識する。
【００７８】
ここで、図７を用い、ワークフローに含める設定項目の選択の一例を説明する。まず、図７（ａ）、（ｂ）を用いて、コピーに関するワークフローを作成する場合の設定項目の選択を説明する。ワークフロー登録モードに移行した後、コピーキー１４が押下されると図７（ａ）、（ｂ）に示すように、液晶表示部８は、コピーの機能に関する設定項目の選択画面Ｄ３のうちの１つである選択画面Ｄ３１を表示する。液晶表示部８は、選択画面Ｄ３１内に、原稿／用紙／仕上げタブＴＢ１、画質タブＴＢ２、レイアウト／編集タブＴＢ３、応用／その他タブＴＢ４といった複数のタブを表示する。尚、タブは、更に複数種設けられてもよい。
【００７９】
そして、図７（ａ）に示すように、例えば、原稿／用紙／仕上げタブＴＢ１が押下されると、液晶表示部８は、原稿／用紙／仕上げに関する設定項目を表示する。各設定項目は、キーとして配される。例えば、原稿／用紙／仕上げタブＴＢ１が押下されると、読み取る原稿のサイズを設定するための原稿サイズキーＫ１３や、印刷に用いる用紙を設定するための用紙選択キーＫ１４等が表示される。尚、他の設定項目のキーにも設定内容、機能が割り振られるが、説明は割愛する。
【００８０】
又、図７（ｂ）に示すように、例えば、レイアウト／編集タブＴＢ３が押下されると、液晶表示部８は、コピーでのページや画像のレイアウトや編集に関する設定項目を表示する。そして、この選択画面Ｄ３１でも、設定項目は、キーとして配される。例えば、レイアウト／編集タブＴＢ３を押下すると、両面印刷や、両面印刷済みの原稿や見開き印刷された原稿の各ページの分割印刷を設定するための両面／分割キーＫ１５や、複数枚の原稿を１ページに収める複写に関し設定するための集約キーＫ１６等が配される。尚、他の設定項目のキーにも設定内容、機能が割り振られるが、説明は割愛する。
【００８１】
又、画質タブＴＢ２が押下されると、液晶表示部８は、画質に関する設定項目（例えば、濃度設定）に対応するキーを表示する。又、応用／その他タブＴＢ４が押下されると、液晶表示部８は、コピーに関する応用的な設定項目（例えば、鏡像印刷や白黒反転印刷等）をキーとして表示する。
【００８２】
次に、図７（ｃ）を用いて、送信に関するワークフローを作成する場合の設定項目の選択を説明する。ワークフロー登録モードに移行した後、コピーキー１４が押下されると、図７（ｃ）に示すように、液晶表示部８は、選択画面Ｄ３のうちの１つであり、送信機能に関する設定項目の選択画面Ｄ３２を表示する。
【００８３】
例えば、図７（ｃ）に示すように、液晶表示部８は、送信用の選択画面Ｄ３２内に、宛先タブＴＢ５、原稿／送信形式タブＴＢ６、カラー／画質タブＴＢ７、応用／その他タブＴＢ８といった複数のタブを表示する。尚、タブは、更に複数種設けられてもよい。
【００８４】
例えば、各設定項目は、キーとして配される。図７（ｃ）に示すように、原稿／送信形式タブＴＢ６が押下されると、読み取る原稿や画像データの送信形式に関する設定項目が表示される。そして、液晶表示部８は、読み取る原稿のサイズを設定するための原稿サイズキーＫ１７や、送信する画像データのサイズを設定するための送信サイズキーＫ１８や、送信する画像データの形式（例えば、ＰＤＦやＴＩＦＦ）等を設定するためのファイル形式キーＫ１９等が配される。尚、他の設定項目のキーにも設定内容、機能が割り振られるが、説明は割愛する。
【００８５】
これら選択画面Ｄ３で設定項目の選択が行われると、表示制御部１０は選択された設定項目内の設定値を設定するための設定画面を液晶表示部８に表示させる（例えば、図５の各図参照）。そして、表示制御部１０は設定画面で使用者によって設定された設定値（押下された設定値を示すキー）をデフォルトの設定値として把握する。
【００８６】
このような、設定項目でのデフォルトの設定値の設定の後、表示制御部１０は、設定項目の選択が終了したかを確認する。具体的に、表示制御部１０はワークフローに含める設定項目の選択を終了する旨の入力が行われたかを確認する。ワークフローに含める設定項目の選択を終了する旨の入力は、複数種とできる。例えば、設定項目の選択画面Ｄ３でのスタートキー１３の押下やワークフローキー１６の押下等、任意に定めることができる。
【００８７】
（ワークフローの登録）
次に、図８、図９を用いて、本発明の実施形態に係るワークフローの登録の一例を説明する。図８は、本発明の実施形態に係るワークフローの登録での必須入力項目のウィザード形式よる表示の一例を示す説明図であり、（ａ）は、名称の入力画面Ｎ１の一例を示し、（ｂ）は表示形式の入力画面Ｎ２の一例を示す。図９は、本発明の実施形態に係るワークフローの登録での確認画面Ｃ１の一例を示す説明図である。
【００８８】
ワークフローに含める設定項目の選択や、デフォルトの設定値の設定が完了すると、ワークフローの登録のための入力画面Ｎが表示される。この入力画面Ｎは、ワークフローの登録後、使用、管理する上で必須の項目（必須入力項目）の１項目ずつ、ウィザード形式（対話形式）で表示される。尚、どのような項目を必須入力項目と扱うかは、予め、製造者が任意に定めることができる。
【００８９】
本説明では、ワークフローの名称と表示形式を必須入力項目として扱う例を説明する。そして、図８（ａ）に示すようにワークフローの名称の入力画面Ｎ１と、表示形式の入力画面Ｎ２が用意される。尚、表示順は、入力画面Ｎ１→入力画面Ｎ２である。
【００９０】
そして、液晶表示部８は、入力画面Ｎ１と入力画面Ｎ２に、それぞれ、次キーＫ２０と、前キーＫ２１を表示する。尚、以下の説明では（図８〜図１９）、複数の入力画面Ｎを例示するが、各入力画面Ｎに表示される次キーＫ２０と前キーＫ２１は、ウィザード形式での次画面に移るという同じ機能なので、便宜上同じ符号を付して説明する。
【００９１】
使用者は、各入力画面Ｎで入力完了と判断すれば、次キーＫ２０を押下する。言い換えると、液晶表示部８は、次キーＫ２０が押下されると、次に用意された画面を表示する。前の必須入力項目を入力し直す場合、使用者は、前キーＫ２１を押下する。言い換えると、液晶表示部８は、前キーＫ２１が押下されると、１つ前の段階の画面を表示する。
【００９２】
又、液晶表示部８は、入力画面Ｎ１と入力画面Ｎ２のそれぞれの最上部の設定順表示欄Ｍ１に、必須入力項目の設定順を表示する。ワークフローの登録の場合でいえば、例えば、液晶表示部８は、「名称＞表示形式」と表示する。
【００９３】
そして、例えば、液晶表示部８は、現在表示している入力画面Ｎに対応する項目に下線を付して表示する。これにより、現在位置と後どれほど必須入力項目を入力すべきか確認できる。尚、下線に変えて、文字色や文字部分の背景色を変える等により、現在位置を示してもよく、現在位置の示し方は、上記の例に限られない。
【００９４】
図８（ａ）に示す名称の入力画面Ｎ１では、文字、数字、記号等の文字列入力が必要なので、設定順表示欄Ｍ１の下方に、入力結果表示領域Ｆが配される。入力結果表示領域Ｆには、使用者によるソフトキーボードを用いた入力結果が表示される。
【００９５】
入力結果表示領域Ｆの下方には、入力用キー群Ｇ１が配される。入力用キー群Ｇ１には、アルファベットの各文字のほか、「＠」や「＜」や「．」等の記号が含まれる。又、入力用キー群Ｇ１の上方には、日本語キーＫ２２や、記号キーＫ２３や、大文字小文字切替キーＫ２４や４種の矢印キーＫ２５等が設けられる。
【００９６】
例えば、日本語キーＫ２２を押下すると、使用者は、ローマ字による文字入力を行うことができる。図８（ａ）に示すように、日本語入力モードでは、例えば、日本語キーＫ２２が白黒反転状態となる。再度、日本語キーＫ２２を押下すれば、日本語入力モードが解除され、アルファベット入力を行うことができる。尚、テンキー部１２を用いて、数字入力を行うこともできる。
【００９７】
又、例えば、記号キーＫ２３が押下されると、液晶表示部８は、各アルファベットのキーに変えて、「！」、「＃」、「％」、「'」、「＊」等の記号が記されたキーを表示する。この記号が記されたキーを押下することで、使用者は、各種記号入力を行うことができる。又、例えば、大文字小文字切替キーＫ２４が押下されると、液晶表示部８は、各アルファベットのキーの大文字、小文字を切り替えて表示する。この大文字小文字切替キーＫ２４押下することで、使用者は、アルファベットを大文字でも小文字でも入力することができる。
【００９８】
そして、図８（ａ）に示すように、入力における漢字変換のため、液晶表示部８は、入力結果表示領域Ｆに隣接する隣接エリアに、変換ボタンＢを表示する。変換ボタンＢは、日本語入力での仮名を漢字に変換する際に押下される。例えば、確定前（変換）の仮名文字には、図８（ａ）に示すように破線の下線が付される。
【００９９】
変換ボタンＢが押下されると、液晶表示部８は、変換候補を一覧表示する。例えば、図８（ａ）の例では、変換ボタンＢが押下されると、例えば、「節約コピー」などの漢字を含む文字列が変換候補として表示される。そして、使用者は、矢印キーＫ２５等を用いて変換する漢字を選択、確定する。液晶表示部８は、選択された漢字を入力結果表示領域Ｆに表示する。これにより、使用者は、漢字入力を行うことができる。
【０１００】
一方、図８（ａ）での名称入力完了で、次キーＫ２０が押下されると、液晶表示部８は、表示形式を入力するための入力画面Ｎ２を表示する。入力画面Ｎ２には、メニュー表示形式に対応するメニュー方式キーＫ２６と、一覧表示形式に対応するショートカット方式キーＫ２７と、ウィザード表示形式に対応するウィザード形式キーＫ２８が表示される。使用者は、いずれかのキーを押下して、ワークフローの表示形式を選択する入力を行う。
【０１０１】
入力画面Ｎ２で次キーＫ２０が押されると、本例では、必須入力項目の入力が完了したので、液晶表示部８は、図９に示すように、ワークフローの名称登録における確認画面Ｃ１を表示する。液晶表示部８は、確認画面Ｃ１で、必須入力項目の項目名と入力結果を、矩形の１つのバー内に表示しつつ、バーを複数段積み重ねて表示する。具体的には、図９の例では名称バーＢ１と、表示形式バーＢ２が表示される。このように、液晶表示部８は入力結果を一覧表示する。これにより、使用者は入力内容を確認できる。
【０１０２】
又、確認画面Ｃ１で名称バーＢ１が押下されると、液晶表示部８は、入力画面Ｎ１を表示する。又、確認画面Ｃ１で表示形式バーＢ２が押下されると、液晶表示部８は、入力画面Ｎ２を表示する。言い換えると、必須入力項目（必須入力項目のバー）を選択する入力がタッチパネル部１１等で受け付けられると、選択された必須入力項目に対応する入力画面Ｎが表示され、タッチパネル部１１等で、修正入力が受け付けられる。これにより、確認画面Ｃ１での操作により、修正を希望する必須入力項目を直接指示して、必須入力項目の入力内容の修正を行うことができる。
【０１０３】
この確認画面Ｃ１では、必須入力項目の入力結果に加え、液晶表示部８は、ワークフローを利用する上で必ずしも必要ではない任意の入力項目（任意入力項目）のバーを表示する。図９に示す確認画面Ｃ１では、番号バーＢ３が任意入力項目に該当する。尚、ワークフローの番号とは、ワークフローの通し番号を意味し、例えば、ワークフローの呼出画面Ｄ１での表示順に関係する。
【０１０４】
そして、使用者は、番号バーＢ３を押下することで、ワークフローの番号を定めることができる。例えば、番号バーＢ３が押下されると、液晶表示部８は、ワークフローの「番号」入力用の画面を表示し、操作パネル１やタッチパネル部１１等は、番号（例えば、４桁）の入力を受け付ける。
【０１０５】
そして、確認画面Ｃ１に設けられるＯＫキーＫ２９が押下されると、ワークフローに含まれる設定項目やデフォルトの設定値や、名称や表示形式を示す情報がメモリ１８や記憶装置９２に記憶される。その結果、ワークフローの登録が完了する。一方、確認画面Ｃ１内のキャンセルキーＫ３０が押下されると、ワークフローの登録が中止される。
【０１０６】
尚、以下の説明では（図９〜図１９）、複数の確認画面Ｃを例示するが、各確認画面Ｃに表示されるＯＫキーＫ２９とキャンセルキーＫ３０は、いずれの場合も登録の完了に関するものであり、便宜上同じ符号を付して説明する。
【０１０７】
このように、本発明では、記憶部（記憶装置９２、メモリ１８）は、予め複数の機能の設定項目の中から選択され、登録された設定項目の組み合わせであり、呼び出すことにより予め選択、登録された設定項目を設定するための画面を表示部（液晶表示部８）に表示させるプログラム（ワークフロー）を記憶し、表示部は、プログラムに関し、少なくともプログラムの名称と表示形式を必須入力項目として、プログラムの名称と表示形式の入力画面Ｎをウィザード表示形式で表示する。
【０１０８】
（送信先情報の登録）
次に、図１０〜図１２を用いて、本発明の実施形態に係る送信先情報の登録の一例を説明する。図１０は、本発明の実施形態に係る送信での設定画面の一例を示す説明図であり、（ａ）は、送信基本画面Ｄ４の一例を示し、（ｂ）はアドレス帳画面Ｄ５の一例を示す。図１１は、本発明の実施形態に係る送信先情報の登録での必須入力項目のウィザード形式よる表示の一例を示す説明図であり、（ａ）は、宛先名の入力画面Ｎ３の一例を示し、（ｂ）はフリガナの入力画面Ｎ４の一例を示す。図１２は、本発明の実施形態に係る送信先情報の登録での確認画面Ｃ２の一例を示す説明図である。
【０１０９】
本実施形態の複合機１００は、画像読取部２での読み取りにより得られた画像データを外部のコンピュータ２００やＦＡＸ装置３００等に送信できる。画像データを送信する場合、使用者は、例えば、送信キー１５を押下する。送信キー１５の押下があると、液晶表示部８は、例えば、図１０（ａ）に示すような、送信基本画面Ｄ４を表示する。
【０１１０】
そして、送信基本画面Ｄ４の中央位置には、画像データの送信方法を選択するための送信方法選択キー群Ｇ２が配される。例えば、送信方法選択キー群Ｇ２内に、液晶表示部８は、ＦＡＸ送信キーＫ３１、Ｅ−ｍａｉｌ送信キーＫ３２、ＰＣ送信キーＫ３３を表示する。尚、１画面内に表示できる送信方法選択用のキーには限りがある（図４の例では３つ）。そこで、送信方法選択キー群Ｇ２の右側に配された矢印キーＫ３４が押下されると、液晶表示部８は、他の送信方法（例えば、インターネットＦＡＸ等）を示すキーを新たに表示する。
【０１１１】
そして、図１０（ｂ）は、Ｅ−ｍａｉｌ送信キーＫ３２が押下された後、液晶表示部８が表示するアドレス帳画面Ｄ５の一例を示している。Ｅ−ｍａｉｌ送信キーＫ３２が押下されると、液晶表示部８は、例えば、Ｅ−ｍａｉｌアドレスが登録されている宛先を一覧表示したアドレス帳画面Ｄ５を表示する。尚、ＦＡＸ送信キーＫ３１が押下されると、液晶表示部８は、例えば、ＦＡＸ番号が登録されている宛先を一覧表示したアドレス帳画面Ｄ５を表示する。又、ＰＣ送信キーＫ３３が押下されると、液晶表示部８は、例えば、ネットワークアドレスやパス等が登録されている宛先を一覧表示したアドレス帳画面Ｄ５を表示する。
【０１１２】
画像データの送信先に関する情報（送信先情報）は、記憶装置９２やメモリ１８に記憶させておくことができる。そして、送信先情報には、詳細は後述するが、宛先名や宛先名のフリガナや、相手方のアドレス情報（ネットワークアドレスやメールアドレスやＦＡＸ番号等）が含まれる。アドレス帳画面Ｄ５では、宛先名とアドレス情報が一覧表示される。そして、例えば、表示制御部１０が、操作パネル１になされた入力に対応し、表示する送信先情報を絞り込み、絞り込み後の送信先情報を液晶表示部８に表示させる。
【０１１３】
尚、アドレス帳画面Ｄ５には、絞り込みキー群Ｇ３が表示される。絞り込みキー群Ｇ３は、宛先名の頭文字、又は、宛先名のフリガナの頭文字で送信先情報を絞り込むためのものである。絞り込みキー群Ｇ３には、５０音の各行の先頭文字や、数字や、アルファベットが記されたキーが含まれる。絞り込みキー群Ｇ３内のキーが押下されると、表示制御部１０は、押下されたキーに対応して送信先情報を絞り込み、絞り込んだ結果を液晶表示部８に表示させる。尚、図１０（ｂ）は、「か行」で送信先情報を絞り込んだ時のアドレス帳画面Ｄ５の一例を示している。
【０１１４】
そして、アドレス帳画面Ｄ５には、新規追加キーＫ３５が含まれる。新規追加キーＫ３５は、アドレス帳画面Ｄ５に表示されない新規の送信先情報を登録する際に押下される。新規追加キーＫ３５が押下されると、液晶表示部８は、送信先情報の入力画面Ｎをウィザード形式で表示する。
【０１１５】
送信先情報の入力画面Ｎは、登録後、アドレス帳を使用、管理する上で必須入力項目を１項目ずつ、ウィザード形式（対話形式）で表示される。尚、どのような項目を必須入力項目と扱うかは、予め、製造者が任意に定めることができる。
【０１１６】
尚、本説明では、送信先情報のうち、宛先名、宛先名のふりがな、メールアドレスを必須入力項目として扱う例を説明する。尚、画像データをＦＡＸで送信する場合のアドレス帳画面Ｄ５で新規追加キーＫ３５が押下された場合、ＦＡＸ番号が必須入力項目とされる。又、画像データを外部のコンピュータ２００（ＰＣ）に送信する場合のアドレス帳画面Ｄ５で新規追加キーＫ３５が押下された場合、ネットワークアドレスやパス等が必須入力項目とされる。
【０１１７】
この場合では、図１１（ａ）に示すように、宛先名の入力画面Ｎ３と、図１１（ｂ）に示すように、宛先名のフリガナの入力画面Ｎ４が用意される。尚、メールアドレスの入力画面Ｎは、入力画面Ｎ３や入力画面Ｎ４と同様でよいので、図示を省略する。
【０１１８】
そして、送信先情報の登録の場合も、ウィザード形式による表示のため、液晶表示部８は、入力画面Ｎ３や入力画面Ｎ４に、それぞれ、次キーＫ２０と、前キーＫ２１を表示する。使用者は、各入力画面Ｎで入力完了と判断すれば、次キーＫ２０を押下する。言い換えると、液晶表示部８は、次キーＫ２０が押下されると、次に用意された画面を表示する。前の必須入力項目を入力し直す場合、使用者は、前キーＫ２１を押下する。言い換えると、液晶表示部８は、前キーＫ２１が押下されると、１つ前の段階の画面を表示する。
【０１１９】
又、液晶表示部８は、入力画面Ｎ３や入力画面Ｎ４のそれぞれの最上部の設定順表示欄Ｍ２に、必須入力項目の設定順を表示する。メールアドレスの送信先情報の登録の場合でいえば、例えば、液晶表示部８は、「宛先名＞フリガナ＞アドレス」と表示する。
【０１２０】
そして、例えば、液晶表示部８は、現在表示している入力画面Ｎに対応する項目に下線を付して表示する。これにより、現在位置と後どれほど必須入力項目を入力すべきか確認できる。尚、下線に変えて、文字色や文字部分の背景色を変える等により、現在位置を示してもよく、現在位置の示し方は、上記の例に限られない。
【０１２１】
送信先情報の各入力画面Ｎでは、文字、数字、記号等の文字列入力が必要なので、設定順表示欄Ｍ２の下方に、入力結果表示領域Ｆが配される。入力結果表示領域Ｆに、使用者によるソフトキーボードを用いた入力結果が表示される。尚、ソフトキーボードを用いた入力手順は、図８（ａ）の場合と同様であるので詳細な説明を省略する。
【０１２２】
そして、図１１（ａ）での宛先名称の入力完了により次キーＫ２０が押下されると、液晶表示部８は、図１１（ｂ）に示すように、宛先名のフリガナを入力するための入力画面Ｎ４を表示する。
【０１２３】
入力画面Ｎ２でのフリガナ入力完了によって、次キーＫ２０が押されると、本例では液晶表示部８は、アドレスの入力画面Ｎを表示する。アドレスの入力画面Ｎで次キーＫ２０が押下されると、必須入力項目の入力が完了したので、液晶表示部８は、図１２に示すように、送信先情報の登録における確認画面Ｃ２を表示する。
【０１２４】
液晶表示部８は、確認画面Ｃ２で、必須入力項目の項目名と入力結果を、矩形の１つのバー内に表示しつつ、バーを複数段積み重ねて表示する。具体的に、図１２の例では宛先名バーＢ４と、フリガナバーＢ５と、アドレスバーＢ６が表示される。このように、液晶表示部８は、必須入力項目の入力結果を一覧表示する。これにより、使用者は入力内容を確認できる。
【０１２５】
又、例えば、ワークフローの登録の場合と同様、確認画面Ｃ２で宛先名バーＢ４が押下されると、液晶表示部８は、入力画面Ｎ３を表示する。言い換えると、必須入力項目（必須入力項目のバー）を選択する入力がタッチパネル部１１等で受け付けられると、選択された必須入力項目に対応する入力画面Ｎが表示され、タッチパネル部１１等で、修正入力が受け付けられる。これにより、確認画面Ｃ２での操作により、修正を希望する必須入力項目を直接指示して、必須入力項目の入力内容の修正を行うことができる。
【０１２６】
この確認画面Ｃ２でも、必須入力項目の入力結果に加え、液晶表示部８は、Ｅメール送信の送信先情報を利用する上、必ずしも必要ではない任意入力項目のバーを表示する。図１２に示す確認画面Ｃ２では、ＳＭＢバーＢ７（画像データのＰＣ送信用）と、ＦＡＸ番号バーＢ８が任意入力項目に該当する。
【０１２７】
ここで、バーの表示数（積み重ね数）には限界があり、送信先情報の確認画面Ｃ２の端部には、スクロールバーＳＢが設けられる。液晶表示部８は、スクロールバーＳＢが押下により操作されると、確認画面Ｃの表示内容をスクロールさせる。尚、図１２（ｂ）に示すように、ＦＡＸ番号バーＢ８は、スクロールバーＳＢを利用することで表示される。
【０１２８】
そして、使用者は、ＳＭＢバーＢ７や、ＦＡＸ番号バーＢ８を押下することで、ＳＭＢの送信におけるネットワークアドレスや、ＦＡＸ番号の入力を行える。例えば、ＳＭＢバーＢ７や、ＦＡＸ番号バーＢ８が押下されると、液晶表示部８は、ネットワークアドレスや、ＦＡＸ番号の入力用の画面を表示し、操作パネル１やタッチパネル部１１等は、入力を受け付ける。
【０１２９】
そして、確認画面Ｃ２のＯＫキーＫ２９が押下されると、宛先名やフリガナやメールアドレスを含む送信先情報がメモリ１８や記憶装置９２に記憶される。その結果、送信先情報の登録が完了し、以後、アドレス帳画面Ｄ５で表示されるようになる。一方、確認画面Ｃ２内のキャンセルキーＫ３０が押下されると、送信先情報の登録が中止される。
【０１３０】
このように、本発明では、記憶部（記憶装置９２、メモリ１８）は、画像データの送信先の送信先情報を記憶し、表示部（液晶表示部８）は、送信先情報のうち、少なくとも、送信先情報における宛先名とアドレス情報を必須入力項目として、宛先名とアドレス情報の入力画面Ｎをウィザード表示形式で表示する。
【０１３１】
（使用者情報の登録）
次に、図１３〜図１５を用いて、本発明の実施形態に係る使用者情報の登録の一例を説明する。図１３は、本発明の実施形態に係るログイン画面Ｄ６の一例を示す説明図である。図１４は、本発明の実施形態に係る使用者情報の登録での必須入力項目のウィザード形式による表示の一例を示す説明図であり、（ａ）は、名前の入力画面Ｎ５の一例を示し、（ｂ）はフリガナの入力画面Ｎ６の一例を示す。図１５は、本発明の実施形態に係る使用者情報の登録での確認画面Ｃ３の一例を示す説明図である。
【０１３２】
本実施形態の複合機１００では、情報セキュリティを高める観点から複合機１００の使用者を限定できる。言い換えると、複合機１００に認証機能を持たせる。そのため、管理者等は、複合機１００に使用者に関する情報（使用者情報）を登録しておける。使用者情報は、記憶装置９２やメモリ１８に記憶させておくことができる。そして、使用者情報には、詳細は後述するが、名前や、フリガナや、ログインユーザ名や、パスワードや、アクセスレベルが含まれる。本説明は、使用者情報の登録に関する。
【０１３３】
まず、複合機１００に認証機能を持たせる場合、使用者は、複合機を使用する前に図１３に示すようなログイン画面Ｄ６への入力が求められる。例えば、液晶表示部８は、ログイン画面Ｄ６に、使用者を特定するためのユーザ名キーＫ３６と、パスワードキーＫ３７を表示する。そして、ユーザ名キーＫ３６やパスワードキーＫ３７が押下されると、液晶表示部８は、図８（ａ）や図１１に示したようなソフトキーボードを表示する。そして、使用者は、ログイン用のユーザ名や、パスワードをソフトキーボードに入力する。
【０１３４】
そして、液晶表示部８は、例えば、ログイン画面Ｄ６の下右端に、ログインキーＫ３８を表示する。ログインキーＫ３８が押下されると、表示制御部１０は、メモリ１８や記憶装置９２に予め登録された使用者情報の中に、入力された内容と一致するものがあるかを確認する認証処理を行う。一致するものがあり、使用者を特定できれば、表示制御部１０は、制御部９に複合機１００を使用させてよい旨を通知し、又、表示制御部１０は、使用者による入力や設定を受け付ける。尚、認証処理は、制御部９が行ってもよく、この場合、制御部９は、入力された内容を操作パネル１から受信し、メモリ１８や記憶装置９２に記憶される使用者情報と照合する。
【０１３５】
そして、システムキー１７の押下や液晶表示部８への押下の繰り返し等で、使用者情報の登録が行える。使用者情報を入力する場合、液晶表示部８は、使用者情報の入力画面Ｎをウィザード形式で表示する。使用者情報の入力画面Ｎは、登録後、使用者情報を使用、管理する上で必須の入力項目を１項目ずつ、ウィザード形式（対話形式）で表示される。尚、どのような項目を必須入力項目と扱うかは、複合機１００の製造者が予め定める。
【０１３６】
尚、本説明では、使用者情報のうち、名前、名前のフリガナ、ログイン画面Ｄ６でユーザ名として入力するログインユーザ名（ユーザＩＤ）、パスワードの４つの項目を、必須入力項目として扱う例を説明する。
【０１３７】
使用者情報の登録では、図１４（ａ）に示すように、名前の入力画面Ｎ５や、図１４（ｂ）に示すように、フリガナの入力画面Ｎ６が用意される。尚、ログインユーザ名やパスワードの入力画面Ｎは入力画面Ｎ５や入力画面Ｎ６と同様でよいので、図示を省略する。
【０１３８】
そして、使用者情報の登録の場合も、ウィザード形式による表示のため、液晶表示部８は、入力画面Ｎ５や入力画面Ｎ６等の各入力画面Ｎに、それぞれ、次キーＫ２０と前キーＫ２１を表示する。管理者や使用者は、各入力画面Ｎで入力完了と判断すれば、次キーＫ２０を押下する。言い換えると、液晶表示部８は次キーＫ２０が押下されると、次に用意された入力画面Ｎ等を表示する。前の必須入力項目を入力し直す場合、管理者や使用者は、前キーＫ２１を押下する。言い換えると、液晶表示部８は、前キーＫ２１が押下されると、１つ前の段階の画面を表示する。
【０１３９】
又、液晶表示部８は、入力画面Ｎ５や入力画面Ｎ６のそれぞれの最上部の設定順表示欄Ｍ３に、必須入力項目の設定順を表示する。使用者情報の登録の場合でいえば、例えば、液晶表示部８は「名前＞フリガナ＞ログインユーザ名＞パスワード」と表示する。
【０１４０】
そして、例えば、液晶表示部８は、現在表示している入力画面Ｎに対応する項目に下線を付して表示する。これにより、現在位置と、後どれほど必須入力項目を入力すべきか確認できる。尚、下線に変えて、文字色や文字部分の背景色を変える等により、現在位置を示してもよく、現在位置の示し方は、上記の例に限られない。
【０１４１】
使用者情報の各入力画面Ｎでも、文字、数字、記号等の文字列入力が必要なので、設定順表示欄Ｍの下方に、入力結果表示領域Ｆが配される。入力結果表示領域Ｆには、管理者や使用者によるソフトキーボードを用いた入力結果が表示される。尚、ソフトキーボードを用いた入力手順は、図８（ａ）の場合と同様であるので、詳細な説明を省略する。
【０１４２】
そして、図１４（ａ）での名前の入力完了により、次キーＫ２０が押下されると、液晶表示部８は、図１４（ｂ）に示すように、名前のフリガナを入力するための入力画面Ｎ６を表示する。
【０１４３】
入力画面Ｎ６でのフリガナ入力完了によって、次キーＫ２０が押されると、本例では液晶表示部８は、ログインユーザ名の入力画面Ｎを表示する。ログインユーザ名の入力画面Ｎでの入力完了によって次キーＫ２０が押されると、本例では、液晶表示部８はパスワードの入力画面Ｎを表示する。
【０１４４】
そして、４つの必須入力項目の入力が完了すると、液晶表示部８は、図１５に示すように、使用者情報の登録における確認画面Ｃ３を表示する。液晶表示部８は、確認画面Ｃ３で、必須入力項目の項目名と入力結果を、矩形の１つのバー内に表示しつつ、バーを複数段積み重ねて表示する。具体的に、図１５の例では、必須入力項目に対応するバーとして、名前バーＢ９と、フリガナバーＢ１０と、ログインユーザ名バーＢ１１と、パスワードバーＢ１２が表示される。このように、液晶表示部８は、入力結果を一覧表示する。これにより、管理者や使用者は入力内容を確認できる。
【０１４５】
又、例えば、ワークフローや送信先情報の登録の場合と同様、確認画面Ｃ３で名前バーＢ９が押下されると、液晶表示部８は、入力画面Ｎ５を表示する。言い換えると、必須入力項目（必須入力項目のバー）を選択する入力がタッチパネル部１１等で受け付けられると、選択された必須入力項目に対応する入力画面Ｎが表示され、タッチパネル部１１等で、修正入力が受け付けられる。これにより、確認画面Ｃ３での操作により、修正を希望する必須入力項目を直接指示して、必須入力項目の入力内容の修正を行うことができる。
【０１４６】
この確認画面Ｃ３でも、必須入力項目の入力結果に加え、液晶表示部８は、使用者情報を利用、管理する上、必ずしも必要ではない任意入力項目のバーを表示する。図１５に示す確認画面Ｃ３では、アクセスレベルバーＢ１３と、所属部門バーＢ１４が任意入力項目に該当する。
【０１４７】
ここで、バーの表示数（積み重ね数）には限界があるので、使用者情報の確認画面Ｃ３の端部には、スクロールバーＳＢが設けられる。液晶表示部８は、スクロールバーＳＢが押下により操作されると、確認画面Ｃ３の表示内容をスクロールさせる。尚、図１５（ｂ）に示すように、アクセスレベルバーＢ１３と所属部門バーＢ１４は、スクロールバーＳＢを利用することで表示される。
【０１４８】
そして、管理者や使用者は、アクセスレベルバーＢ１３を押下することで、登録しようとする使用者のアクセスレベル（管理者権限まで認めるか、使用者の権限にとどめるか）を定める入力を行える。又、所属部門バーＢ１４を押下することで、登録しようとする使用者の部門を設定できる。例えば、アクセスレベルバーＢ１３や、所属部門バーＢ１４が押下されると、液晶表示部８は、それぞれの設定のための画面を表示し、操作パネル１やタッチパネル部１１等は、入力を受け付ける。
【０１４９】
そして、確認画面Ｃ３に設けられるＯＫキーＫ２９が押下されると、宛先名やフリガナやメールアドレスを含む使用者情報がメモリ１８や記憶装置９２に記憶される。その結果、使用者情報の登録が完了し、以後、ログイン画面Ｄ６で入力を行うことにより、ログインできるようになる（複合機１００を利用できるようになる）。一方、確認画面Ｃ３内のキャンセルキーＫ３０が押下されると、使用者情報の登録が中止される。
【０１５０】
このように、本発明では、記憶部（記憶装置９２、メモリ１８）は、使用者に関する使用者情報を記憶し、表示部（液晶表示部８）は、使用者情報のうち、少なくとも、使用者の名前と、使用者の名前のフリガナを必須入力項目として、使用者の名前と、使用者の名前のフリガナの入力画面Ｎをウィザード表示形式で表示する。
【０１５１】
（部門情報の登録）
次に、図１６〜図１８を用いて、本発明の実施形態に係る部門情報の登録の一例を説明する。図１６は、本発明の実施形態に係る部門リスト画面Ｄ７の一例を示す説明図である。図１７は、本発明の実施形態に係る部門情報の登録での必須入力項目のウィザード形式よる表示の一例を示す説明図であり、（ａ）は部門名の入力画面Ｎ７の一例を示し、（ｂ）はフリガナの入力画面Ｎ８の一例を示す。図１８は、本発明の実施形態に係る部門情報の登録での確認画面Ｃ４の一例を示す説明図である。
【０１５２】
本実施形態の複合機１００では、資源の有効活用や複合機１００の使用状況の確認、管理の観点から、部門ごとの管理機能を有する。部門ごとの管理機能を用いることで、印刷枚数や読み込み枚数のカウント、集計や、印刷枚数の制限などを行うことができる。そのため、管理者等は複合機１００に部門情報を登録しておく。又、部門情報は、記憶装置９２やメモリ１８に記憶させておく。そして、複合機１００の使用の際、部門コードを入力することで、複合機１００が利用できるようになる。
【０１５３】
そして、部門情報には、詳細は後述するが、部門名や、部門名のフリガナや、部門コード（部門管理用の認識用コード）や、印刷における制限等が含まれる。そこで、以下、部門情報の登録について説明する。
【０１５４】
まず、複合機１００の部門管理では、システムキー１７が押下され、部門リスト画面Ｄ７の表示が指示されると、液晶表示部８は、図１６に示すような部門リスト画面Ｄ７を表示する。例えば、液晶表示部８は、部門リスト画面Ｄ７に、部門名や部門コードを一覧表示する。
【０１５５】
又、部門リスト画面Ｄ７には、詳細キーＫ３９や、削除キーＫ４０、新規登録キーＫ４１が設けられる。液晶表示部８は、一覧表示された各部門のうち、いずれかの部門が押下された後、詳細キーＫ３９が押下されると、コピーでの印刷枚数の制限や、プリンタとしての印刷枚数の制限を設定するための設定画面（不図示）や、読み取りや印刷の累計枚数を表示する画面（不図示）を表示する。そして、管理者は、制限を設定するための設定画面で、印刷制限等の各種設定を行える。
【０１５６】
又、一覧表示された各部門のうち、いずれかの部門が押下された後、削除キーＫ４０が押下されると、表示制御部１０は部門情報を記憶する記憶装置９２やメモリ１８に押下により指定された部門に関する情報を消去させる。
【０１５７】
そして、新規登録キーＫ４１が押下されると、液晶表示部８は、新たに登録する部門の情報を入力するための入力画面Ｎを表示する。液晶表示部８は、部門情報のうち、必須入力項目の入力画面Ｎをウィザード形式で表示する。言い換えると、登録後、部門情報を使用、管理する上で必須の入力項目の入力画面Ｎは、１項目ずつウィザード形式（対話形式）で表示される。尚、どのような項目を必須入力項目と扱うかは、複合機１００の製造者が予め定める。
【０１５８】
尚、本説明では、部門情報のうち、部門名、部門名のフリガナ、部門コードの３つの項目を、必須入力項目として扱う例を説明する。
【０１５９】
部門情報の登録では、図１７（ａ）に示すように、部門名の入力画面Ｎ７や、図１７（ｂ）に示すように、部門名のフリガナの入力画面Ｎ８が用意される。尚、部門コードの入力画面Ｎは、入力画面Ｎ７や入力画面Ｎ８と同様でよいので、図示を省略する。
【０１６０】
そして、部門情報の登録の場合も、ウィザード形式による表示のため、液晶表示部８は、入力画面Ｎ７や入力画面Ｎ８等の各入力画面Ｎに、それぞれ、次キーＫ２０と、前キーＫ２１を表示する。管理者や使用者は、各入力画面Ｎで入力完了と判断すれば、次キーＫ２０を押下する。言い換えると、液晶表示部８は、次キーＫ２０が押下されると次に用意された入力画面Ｎ等を表示する。前の必須入力項目を入力し直す場合、使用者は、前キーＫ２１を押下する。言い換えると、液晶表示部８は、前キーＫ２１が押下されると１つ前の段階の画面を表示する。
【０１６１】
又、液晶表示部８は、入力画面Ｎ７や入力画面Ｎ８のそれぞれの最上部の設定順表示欄Ｍ４に必須入力項目の設定順を表示する。部門情報の登録の場合でいえば、例えば、液晶表示部８は、「部門名＞（部門名の）フリガナ＞部門コード」と表示する。
【０１６２】
そして、例えば、液晶表示部８は、現在表示している入力画面Ｎに対応する項目に下線を付して表示する。これにより、現在位置と、後どれほど必須入力項目を入力すべきか確認できる。尚、下線に変えて、文字色や文字部分の背景色を変える等により、現在位置を示してもよく、現在位置の示し方は、上記の例に限られない。
【０１６３】
部門情報の各入力画面Ｎでも、文字、数字、記号等の文字列入力が必要なので、設定順表示欄Ｍ４の下方に、入力結果表示領域Ｆが配される。入力結果表示領域Ｆには使用者や管理者によるソフトキーボードを用いた入力結果が表示される。尚、ソフトキーボードを用いた入力手順は、図８（ａ）等の場合と同様であるので、詳細な説明を省略する。
【０１６４】
そして、図１７（ａ）での部門名の入力完了により、次キーＫ２０が押下されると、液晶表示部８は、図１７（ｂ）に示すように、部門名のフリガナを入力するための入力画面Ｎ８を表示する。
【０１６５】
入力画面Ｎ８での部門名のフリガナ入力完了によって、次キーＫ２０が押されると、本例では、液晶表示部８は、部門コードの入力画面Ｎを表示する。ログインユーザ名の入力画面Ｎでの入力完了によって、次キーＫ２０が押されると、本例では、液晶表示部８は、部門コードの入力画面Ｎを表示する。
【０１６６】
そして、部門情報の登録での３つの必須入力項目の入力が完了すると、液晶表示部８は、図１８に示すように、部門情報の登録における確認画面Ｃ４を表示する。液晶表示部８は、確認画面Ｃ４で、必須入力項目の項目名と入力結果を、矩形の１つのバー内に表示しつつバーを複数段積み重ねて表示する。具体的に、図１８の例では、必須入力項目に対応するバーとして、部門名バーＢ１５と、部門名のフリガナバーＢ１６と、部門コードバーＢ１７が表示される。このように、液晶表示部８は、入力結果を一覧表示する。これにより、使用者は入力内容を確認できる。
【０１６７】
又、ワークフローや送信先情報や使用者情報の登録の場合と同様、例えば、確認画面Ｃ４で部門名バーＢ１５が押下されると、液晶表示部８は、入力画面Ｎ７を表示する。言い換えると、必須入力項目（必須入力項目のバー）を選択する入力がタッチパネル部１１等で受け付けられると、選択された必須入力項目に対応する入力画面Ｎが表示され、タッチパネル部１１等で、修正入力が受け付けられる。これにより、確認画面Ｃ４での操作により、修正を希望する必須入力項目を直接指示して、必須入力項目の入力内容の修正を行うことができる。
【０１６８】
この確認画面Ｃ４でも、必須入力項目の入力結果に加え、液晶表示部８は、部門情報を利用、管理するうえでの任意入力項目のバーを表示する。図１８に示す確認画面Ｃ４では、３種類のコピーの印刷制限に関するバーと、２種のプリンタの印刷制限に関するバーが任意入力項目に該当する。
【０１６９】
コピーの印刷制限に関するバーのうち、合計と付されたコピー印刷制限バーＢ１８は、コピーの印刷枚数の総合計に対し制限を課すためのものである。カラーと付されたコピー印刷制限バーＢ１９は、カラーコピーの印刷枚数に対し制限を課すためのものである。単色と付されたコピー印刷制限バーＢ２０は、単色コピー（例えば、白黒印刷）の印刷枚数の総合計に対し制限を課すためのものである。
【０１７０】
又、プリンタの印刷制限に関するバーのうち、合計と付されたプリンタ印刷制限バーＢ２１は、プリンタとしての印刷枚数の総合計に対し制限を課すためのものである。カラーと付されたプリンタ印刷制限バーＢ２２は、カラーのプリンタとしての印刷枚数に対し制限を課すためのものである。
【０１７１】
ここで、バーの表示数（積み重ね数）には限界があるので、部門情報の確認画面Ｃ４でも、端部にスクロールバーＳＢが設けられる。液晶表示部８は、スクロールバーＳＢが押下により操作されると、確認画面Ｃの表示内容をスクロールさせる。尚、図１８（ｂ）に示すように、コピー印刷制限バーＢ１９、コピー印刷制限バーＢ２０、プリンタ印刷制限バーＢ２１、プリンタ印刷制限バーＢ２２は、スクロールバーＳＢを利用することで表示される。
【０１７２】
そして、使用者は、上記の任意入力項目のバーを押下することで、それぞれの印刷について、印刷枚数の制限を定める入力を行える。例えば、コピー印刷制限バーＢ１８が押下されると、液晶表示部８は、部門でのカラーや白黒を含めた印刷枚数の制限を定めるための画面を表示し、操作パネル１やタッチパネル部１１等は、入力を受け付ける。
【０１７３】
そして、確認画面Ｃ４に設けられるＯＫキーＫ２９が押下されると、部門名や部門名のフリガナやメールアドレスや、場合により印刷枚数の制限を含む部門情報が、メモリ１８や記憶装置９２に記憶される。その結果、部門情報の登録が完了し、以後、部門リスト画面Ｄ７で表示されるようになる。一方、確認画面Ｃ４内のキャンセルキーＫ３０が押下されると、部門情報の登録が中止される。
【０１７４】
このように、本発明では、記憶部（記憶装置９２、メモリ１８）は、部門情報を記憶し、表示部（液晶表示部８）は、部門情報のうち、少なくとも、部門名と部門コードを必須入力項目として、部門名と部門コードの入力画面Ｎをウィザード表示形式で表示する。
【０１７５】
（情報の登録の流れ）
次に、図１９に基づき、本発明の実施形態に係る操作パネル１での各種情報の登録時の流れの一例を総括的に説明する。図１９は、本発明の実施形態に係る操作パネル１での各種情報の登録時の流れの一例を示すフローチャートである。
【０１７６】
まず、図１９のスタートは、情報の登録の開始時点である。上記の例で言えば、
・ワークフロー作成時にスタートキー１３等が押下され、ワークフローの登録が指示された場合
・アドレス帳画面Ｄ５で、新規追加キーＫ３５が押下され、送信先情報の新規登録が指示された場合
・使用者情報の登録が指示された場合
・部門リスト画面Ｄ７で、新規登録キーＫ４１が押下され、部門情報の新規登録が指示された場合などが該当する。
【０１７７】
そして、表示制御部１０は、各種情報の登録における必須入力項目の最初の入力画面Ｎを液晶表示部８に表示させる（ステップ♯１）。このとき、使用者や管理者によって、ソフトキーボード等を用いた入力が行われる。そして、表示制御部１０は、次キーＫ２０が押下されたかを確認する（ステップ♯２）。
【０１７８】
もし、次キーＫ２０が押下されていなければ（ステップ♯２のＮｏ）、例えば、ステップ♯１に戻る。一方、次キーＫ２０が押下されれば（ステップ♯２のＹｅｓ）、表示制御部１０は、全ての必須入力項目の入力が完了したかを確認する（ステップ♯３）。言い換えると、必須入力項目の入力画面Ｎのうち、最後の必須入力項目の入力画面Ｎで次キーＫ２０が押下されたかを確認する（ステップ♯３）。
【０１７９】
もし、全必須入力項目の入力が完了していれば（ステップ♯３のＹｅｓ）、表示制御部１０は、液晶表示部８に確認画面Ｃを表示させる（ステップ♯４）。そして、場合により、タッチパネル部１１等は、使用者や管理者によって、任意入力項目の入力や、必須入力項目の修正を受け付ける（ステップ♯５）。尚、任意入力項目の入力や必須入力項目の修正は、使用者や管理者が必要と認める場合のみ行われる。使用者や管理者が必要ないと考えた場合、ステップ♯５はスキップされる。
【０１８０】
即ち、表示部（液晶表示部８）は、全ての必須入力項目の入力が完了した場合、必須入力項目についてなされた入力内容を表示する確認画面Ｃを表示するとともに、確認画面Ｃに任意の入力項目である任意入力項目もあわせて表示し、入力部（タッチパネル部１１等）は、任意入力項目を選択する入力を受け付け、任意入力項目が選択されると、選択された任意入力項目を設定する入力を受け付ける。又、表示部は、全ての必須入力項目の入力が完了した場合、各必須入力項目についてなされた入力内容を表示する確認画面Ｃを表示し、入力部は、必須入力項目を選択する入力を受け付け、必須入力項目が選択されると、選択された必須入力項目を修正する入力を受け付ける。
【０１８１】
その後、ＯＫキーＫ２９の押下等によって、各種情報は記憶装置９２やメモリ１８に記憶され、登録される（ステップ♯６→エンド）。一方、全必須入力項目の入力が完了していなければ（ステップ♯３のＮｏ）、表示制御部１０は、次の必須入力項目の入力画面Ｎを液晶表示部８に表示させる（ステップ♯７）。そして、表示制御部１０は、前キーＫ２１が押下されたかを確認する（ステップ♯８）。もし、前キーＫ２１が押下されれば（ステップ♯８のＹｅｓ）、表示制御部１０は、１つ前の必須入力項目の入力画面Ｎを表示させる（ステップ♯９）。ステップ♯９の後、例えば、ステップ♯８に戻る。一方、前キーＫ２１が押下されていなければ（ステップ♯８のＮｏ）、表示制御部１０は、次キーＫ２０が押下されたかを確認する（ステップ♯１０）。
【０１８２】
もし、次キーＫ２０が押下されると（ステップ♯１０のＹｅｓ）、ステップ♯３に戻る。一方、次キーＫ２０が押下されていなければ（ステップ♯１０のＮｏ）、例えば、ステップ♯８に戻ればよい。
【０１８３】
このようにして、本発明の表示入力装置（操作パネル１）は、情報を記憶する記憶部（記憶装置９２、メモリ１８）と、情報を記憶部（記憶装置９２、メモリ１８）に記憶させ、登録するための入力画面Ｎを表示する表示部（液晶表示部８）と、入力画面Ｎに表示された入力項目に対する入力を受け付ける入力部（タッチパネル部１１等）と、を備え、表示部（液晶表示部８）は、データを登録するうえで、予め定められた必須の入力項目である必須入力項目の入力画面Ｎを、対話型で順次表示するウィザード表示形式で表示する。
【０１８４】
この本発明の構成によれば、情報を登録するうえで、予め定められた必須の入力項目である必須入力項目の入力画面Ｎが、対話型で順次表示するウィザード表示形式で表示される。これにより、ウィザード形式に従って、入力を行えば、使用者は、必須入力項目について漏れなく入力を行える。従って、必須入力項目への入力漏れのミスなく効率的に情報の入力を行うことができ、表示入力装置（操作パネル１）での入力、登録のしやすさを高めることができる。又、全ての入力項目への使用者の入力を強いず、情報の記憶、登録作業に要する時間を減らすことができる。
【０１８５】
又、確認画面Ｃに表示される任意入力項目を選択する入力が、受け付けられ、任意入力項目の選択で任意入力項目の入力画面Ｎが表示され、選択された任意入力項目を設定する入力が、受け付けられる。これにより、使用者は、任意入力項目の入力も自由、容易に行うことができる。従って、任意入力項目の入力が強制されず、設定したい場合だけ設定すればよい。又、必須入力項目を選択する入力が受け付けられ、必須入力項目の選択で必須入力項目の入力画面Ｎが表示され、必須入力項目を修正する入力が受け付けられる。これにより、確認画面Ｃから簡易に必須入力項目の入力のやり直しをすることができる。従って、表示入力装置（操作パネル１）での入力、登録を効率的に行うことができる。
【０１８６】
又、少なくとも、プログラム（ワークフロー）の名称と表示形式を必須入力項目として、プログラムの名称と表示形式の入力画面Ｎがウィザード表示形式で表示される。これにより、プログラムの記憶、登録において、重要な情報が確実に入力される。又、少なくとも、送信先情報における宛先名とアドレス情報の宛先名とアドレス情報の入力画面Ｎが、必須入力項目としてウィザード表示形式で表示される。これにより、送信先情報の記憶、登録において、重要な情報が確実に入力される。又、使用者情報のうち、少なくとも、使用者の名前と、使用者の名前のフリガナの入力画面Ｎが、必須入力項目としてウィザード表示形式で表示される。これにより、使用者情報の記憶、登録において、重要な情報が確実に入力される。又、部門情報のうち、少なくとも、部門名と部門に属する使用者の入力画面Ｎが、必須入力項目として、ウィザード表示形式で表示される。これにより、部門情報の記憶、登録において、重要な情報が確実に入力される。
【０１８７】
又、画像形成装置（例えば、複合機１００）は、本発明の表示入力装置（操作パネル１）を備える。これにより、全ての入力項目への使用者の入力を強いず、必須入力項目への入力漏れのミスがなく、効率的に情報の入力を行うことができる画像形成装置を提供することができる。又、情報の記憶、登録作業に要する時間が少なく、表示入力装置での入力、登録のしやすさが高い画像形成装置を提供することができる。
【０１８８】
本発明の実施形態を説明したが、本発明の範囲はこれに限定されるものではなく、発明の主旨を逸脱しない範囲で種々の変更を加えて実施することができる。例えば、登録する情報は、ワークフローや送信先情報や使用者情報や部門情報に限られない。
【産業上の利用可能性】
【０１８９】
本発明は、操作パネル等の表示部と入力部を有する表示入力装置や、画像形成装置に利用可能である。
【符号の説明】
【０１９０】
１      操作パネル（表示入力装置）  １１    タッチパネル部（入力部）
１８    メモリ（記憶部）            ８      液晶表示部（表示部）
９２    記憶装置（記憶部）          １００  複合機（画像形成装置）
Ｂ１    名称バー（必須入力項目）    Ｂ２    表示形式バー（必須入力項目）
Ｂ３    番号バー（任意入力項目）    Ｂ４    宛先名バー（必須入力項目）
Ｂ５    フリガナバー（必須入力項目）Ｂ６    アドレスバー（必須入力項目）
Ｂ７    ＳＭＢバー（任意入力項目）  Ｂ８    ＦＡＸ番号バー（任意入力項目）
Ｂ９    名前バー（必須入力項目）    Ｂ１０  フリガナバー（必須入力項目）
Ｂ１１  ログインユーザ名バー（必須入力項目）
Ｂ１２  パスワードバー（必須入力項目）
Ｂ１３  アクセスレベルバー（任意入力項目）
Ｂ１４  所属部門バー（任意入力項目）
Ｂ１５  部門名バー（必須入力項目）
Ｂ１６  フリガナバー（必須入力項目）
Ｂ１７  部門コードバー（必須入力項目）
Ｂ１８  コピー印刷制限バー（任意入力項目）
Ｂ１９  コピー印刷制限バー（任意入力項目）
Ｂ２０  コピー印刷制限バー（任意入力項目）
Ｂ２１  プリンタ印刷制限バー（任意入力項目）
Ｂ２２  プリンタ印刷制限バー（任意入力項目）
Ｃ（Ｃ１〜Ｃ４）  確認画面            Ｎ（Ｎ１〜Ｎ８）  入力画面
【図１】
2011197924.tif 000003
【図２】
2011197924.tif 000004
【図３】
2011197924.tif 000005
【図４】
2011197924.tif 000006
【図５】
2011197924.tif 000007
【図６】
2011197924.tif 000008
【図７】
2011197924.tif 000009
【図８】
2011197924.tif 000010
【図９】
2011197924.tif 000011
【図１０】
2011197924.tif 000012
【図１１】
2011197924.tif 000013
【図１２】
2011197924.tif 000014
【図１３】
2011197924.tif 000015
【図１４】
2011197924.tif 000016
【図１５】
2011197924.tif 000017
【図１６】
2011197924.tif 000018
【図１７】
2011197924.tif 000019
【図１８】
2011197924.tif 000020
【図１９】
2011197924.tif 000021